(57)【要約】【課題】  グループ通話に参加しなかった移動通信端末を後からグループ通話に参加させる。【解決手段】  グループ通話制御サーバ１０のグループ通話制御部１１は、発信側携帯電話機２０からグループ通話開始要求信号を受信し、グループＩＤ発行部１２は、グループ通話のグループＩＤを発行し、グループＩＤ送信制御部１４は、グループ情報管理部１３によって管理されているグループＩＤを含むグループ通話参加要請信号を着信側携帯電話機２０に送信する。グループ通話制御部１１は、着信側の携帯電話機２０から参加応答信号を受信すると、グループ通話を確立させ、その後不応答携帯電話機２０から途中参加要求信号を受信する。途中参加制御部１５は、途中参加要求信号に含まれるグループＩＤに対応するグループに不応答携帯電話機２０を途中参加させる。【選択図】  図１
2008067083.tif 000002
【特許請求の範囲】
【請求項１】
複数の移動通信端末間で行われるグループ通話を制御するグループ通話制御システムであって、
一の移動通信端末から前記グループ通話の開始要求信号を受信した場合に、当該開始要求信号に対応する前記グループ通話を一意に特定するためのグループＩＤを発行するグループＩＤ発行手段と、
前記開始要求信号に含まれる端末ＩＤに対応する他の移動通信端末に対して、前記グループ通話に参加を要請する参加要請信号を送信し、当該参加要請信号に対する応答として、グループ通話に参加することを示す参加応答信号を受信した場合に、グループ通話を確立させるグループ通話制御手段と、
前記グループＩＤ発行手段により発行された前記グループＩＤを、前記他の移動通信端末および前記一の移動通信端末に対して送信させるグループＩＤ送信手段と、
前記他の移動通信端末のうち、前記参加要請信号に対する応答信号を送信していない不応答移動通信端末から前記グループ通話に途中参加を要求する途中参加要求信号を受信した場合に、当該不応答移動通信端末を、前記途中参加要求信号に含まれる前記グループＩＤに対応する前記グループ通話に途中参加させる途中参加制御手段と、
を備えることを特徴とするグループ通話制御システム。
【請求項２】
前記開始要求信号に含まれる端末ＩＤを、前記グループＩＤ発行手段により発行された前記グループＩＤに対応付けて記憶させる記憶手段を、さらに備え、
前記記憶手段は、前記参加要請信号に対する応答信号を受信した場合に、当該応答信号に含まれる前記グループ通話に参加するか否かを示す参加有無情報を、前記端末ＩＤに対応させて、さらに記憶させることを特徴とする請求項１記載のグループ通話制御システム。
【請求項３】
複数の移動通信端末間で行われるグループ通話を制御するグループ通話制御方法であって、
グループ通話制御サーバが、
一の移動通信端末から前記グループ通話の開始要求信号を受信した場合に、当該開始要求信号に対応する前記グループ通話を一意に特定するためのグループＩＤを発行するグループＩＤ発行ステップと、
前記開始要求信号に含まれる端末ＩＤに対応する他の移動通信端末に対して、前記グループ通話に参加を要請する参加要請信号を送信し、当該参加要請信号に対する応答として、グループ通話に参加することを示す参加応答信号を受信した場合に、グループ通話を確立させるグループ通話制御ステップと、
前記グループＩＤ発行ステップにおいて発行された前記グループＩＤを、前記他の移動通信端末および前記一の移動通信端末に対して送信させるグループＩＤ送信ステップと、
前記他の移動通信端末のうち、前記参加要請信号に対する応答信号を送信していない不応答移動通信端末から前記グループ通話に途中参加を要求する途中参加要求信号を受信した場合に、当該不応答移動通信端末を、前記途中参加要求信号に含まれる前記グループＩＤに対応する前記グループ通話に途中参加させる途中参加制御ステップと、
を備えることを特徴とするグループ通話制御方法。
【請求項４】
複数の移動通信端末間で行われるグループ通話が可能な移動通信端末であって、
前記グループ通話に参加するように要請する参加要請信号を受信した場合に、当該参加要請信号に含まれるグループＩＤを着信履歴情報に含めて記憶させる記憶手段と、
ユーザの操作指示により表示画面上に表示された前記着信履歴情報から、前記参加要請信号を受信した際に不応答であったときに記憶された前記着信履歴情報が選択され、かつ、グループ通話に途中参加を要求する途中参加要求信号を送信させる指示が出力された場合に、前記選択された前記着信履歴情報に含まれる前記グループＩＤを、前記途中参加要求信号に含めて送信する送信手段と、
を備えることを特徴とする移動通信端末。
【発明の詳細な説明】
【技術分野】
【０００１】
本発明は、グループ通話制御システム、グループ通話制御方法および移動通信端末に関する。
【背景技術】
【０００２】
通信網を介して複数のユーザが通信端末を用いて通話を行うグループ通話は、例えば電話会議システムやテレビ会議システム等として実現されている。また、従来から移動体通信網でのグループ通話の実現方法としてサーバを用いたものが提案されている（例えば、下記特許文献１参照）。下記特許文献１には、単にグループ通話を実現するだけでなく、圏外等の理由によりグループ通話から切断された移動通信端末をグループ通話に再接続（再参加）させる方法についても開示されている。
【特許文献１】特開２００１−１９５７６２号公報
【発明の開示】
【発明が解決しようとする課題】
【０００３】
しかしながら、上記特許文献１に記載された技術では、グループ通話に再接続できるのは、実際にグループ通話に参加した移動通信端末に限られている。すなわち、グループ通話に参加しなかった移動通信端末は、後からグループ通話に加わることができなかった。
【０００４】
そこで、本発明は、上述した課題を解決するために、グループ通話に参加しなかった移動通信端末を後からグループ通話に参加させることができるグループ通話システム、グループ通話制御方法および移動通信端末を提供することを目的とする。
【課題を解決するための手段】
【０００５】
本発明のグループ通話制御システムは、複数の移動通信端末間で行われるグループ通話を制御するグループ通話制御システムであって、一の移動通信端末からグループ通話の開始要求信号を受信した場合に、当該開始要求信号に対応するグループ通話を一意に特定するためのグループＩＤを発行するグループＩＤ発行手段と、開始要求信号に含まれる端末ＩＤに対応する他の移動通信端末に対して、グループ通話に参加を要請する参加要請信号を送信し、当該参加要請信号に対する応答として、グループ通話に参加することを示す参加応答信号を受信した場合に、グループ通話を確立させるグループ通話制御手段と、グループＩＤ発行手段により発行されたグループＩＤを、他の移動通信端末および一の移動通信端末に対して送信させるグループＩＤ送信手段と、他の移動通信端末のうち、参加要請信号に対する応答信号を送信していない不応答移動通信端末からグループ通話に途中参加を要求する途中参加要求信号を受信した場合に、当該不応答移動通信端末を、途中参加要求信号に含まれるグループＩＤに対応するグループ通話に途中参加させる途中参加制御手段と、を備えることを特徴とする。
【０００６】
また、本発明のグループ通話制御方法は、複数の移動通信端末間で行われるグループ通話を制御するグループ通話制御方法であって、グループ通話制御サーバが、一の移動通信端末からグループ通話の開始要求信号を受信した場合に、当該開始要求信号に対応するグループ通話を一意に特定するためのグループＩＤを発行するグループＩＤ発行ステップと、開始要求信号に含まれる端末ＩＤに対応する他の移動通信端末に対して、グループ通話に参加を要請する参加要請信号を送信し、当該参加要請信号に対する応答として、グループ通話に参加することを示す参加応答信号を受信した場合に、グループ通話を確立させるグループ通話制御ステップと、グループＩＤ発行ステップにおいて発行されたグループＩＤを、他の移動通信端末および一の移動通信端末に対して送信させるグループＩＤ送信ステップと、他の移動通信端末のうち、参加要請信号に対する応答信号を送信していない不応答移動通信端末からグループ通話に途中参加を要求する途中参加要求信号を受信した場合に、当該不応答移動通信端末を、途中参加要求信号に含まれるグループＩＤに対応するグループ通話に途中参加させる途中参加制御ステップと、を備えることを特徴とする。
【０００７】
これらの発明によれば、グループ通話の開始要求信号を受信したときに、グループＩＤを発行することができ、このグループＩＤをグループに属する全ての移動通信端末に対して送信することができる。したがって、不応答移動通信端末は、このグループＩＤを含む途中参加要求信号を送信することが可能となる。それゆえに、不応答移動通信端末から送信された途中参加要求信号を受信することで、この途中参加要求信号に含まれるグループＩＤに対応するグループ通話に不応答移動通信端末を途中から参加させることができる。すなわち、グループ通話に参加しなかった移動通信端末を後からグループ通話に参加させることができる。
【０００８】
本発明のグループ通話制御システムにおいて、上記開始要求信号に含まれる端末ＩＤを、グループＩＤ発行手段により発行されたグループＩＤに対応付けて記憶させる記憶手段を、さらに備え、当該記憶手段は、参加要請信号に対する応答信号を受信した場合に、当該応答信号に含まれるグループ通話に参加するか否かを示す参加有無情報を、端末ＩＤに対応させて、さらに記憶させることが好ましい。
【０００９】
このようにすれば、移動通信端末のグループ通話への参加の有無および参加要請信号に対する応答の有無を、グループごとに管理することができる。
【００１０】
また、本発明の移動通信端末は、複数の移動通信端末間で行われるグループ通話が可能な移動通信端末であって、グループ通話に参加するように要請する参加要請信号を受信した場合に、当該参加要請信号に含まれるグループＩＤを着信履歴情報に含めて記憶させる記憶手段と、ユーザの操作指示により表示画面上に表示された着信履歴情報から、参加要請信号を受信した際に不応答であったときに記憶された着信履歴情報が選択され、かつ、グループ通話に途中参加を要求する途中参加要求信号を送信させる指示が出力された場合に、選択された着信履歴情報に含まれる前記グループＩＤを、途中参加要求信号に含めて送信する送信手段と、を備えることを特徴とする。
【発明の効果】
【００１１】
本発明に係るグループ通話制御システム、グループ通話制御方法および移動通信端末によれば、グループ通話に参加しなかった移動通信端末を後からグループ通話に参加させることができる。
【発明を実施するための最良の形態】
【００１２】
以下、図面とともに本発明の好適な実施形態について詳細に説明する。なお、図面の説明においては同一要素には同一符号を付し、重複する説明については省略する。
【００１３】
図１は、実施形態におけるグループ通話システム１の構成を例示する図である。グループ通話システム１は、グループ通話制御サーバ（グループ通話制御システム）１０と、複数の携帯電話機（移動通信端末）２０とを含んで構成される。
【００１４】
グループ通話制御サーバ１０は、移動体通信網（図示せず）に接続されており、この移動体通信網を介して、携帯電話機２０同士で行うグループ通話の機能を各携帯電話機２０に提供する。グループ通話制御サーバ１０は、物理的には、例えば、ＣＰＵ、メモリ、通信装置等により構成される。
【００１５】
なお、グループ通話制御サーバ１０は必ずしも一つのサーバ装置として構成されている必要はなく、例えば、複数の通信ノード等からなるグループ通話制御システムとして構成されていてもよい。
【００１６】
携帯電話機２０は、自機が在圏する無線エリアをカバーする基地局（不図示）と無線通信を行い、通話サービスあるいはパケット通信サービスを受ける移動通信端末である。携帯電話機２０は、物理的には、例えば、ＣＰＵ、メモリ、通信装置、入力キー、ディスプレイ等により構成される。
【００１７】
なお、本実施形態におけるグループ通話システム１では、移動通信端末の具体例として携帯電話機２０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１８】
グループ通話制御サーバ１０によって提供されるグループ通話は、複数の携帯電話機２０を利用して複数人による会話を実現するものである。このグループ通話には、例えば、プッシュツートーク（Push To Talk：ＰＴＴ）の通話に参加している複数の携帯電話機２０に対して通話データを送信することも含まれる。なお、グループ通話に参加しているとは、携帯電話機２０がグループ通話制御サーバ１０からグループ通話の機能を提供され、グループ通話に参加している他の携帯電話機２０との間で音声データである通話データを送受信することができる状態をいう。
【００１９】
以下、グループ通話制御サーバ１０および携帯電話機２０の機能構成について説明する。
【００２０】
まず、図１を参照してグループ通話制御サーバ１０の機能構成について説明する。図１に示すように、グループ通話制御サーバ１０は、グループ通話制御部１１（グループ通話制御手段，グループＩＤ送信手段，途中参加制御手段）と、グループＩＤ発行部１２（グループＩＤ発行手段）と、グループ情報管理部１３（記憶手段）と、グループＩＤ送信制御部１４（グループＩＤ送信手段）と、途中参加制御部１５（途中参加制御手段）とを有する。
【００２１】
グループ通話制御部１１は、携帯電話機２０に対してグループ通話の機能を提供するとともに、携帯電話機２０間で行われるグループ通話を制御する。グループ通話制御部１１は、グループ通話が、例えばＰＴＴによるものである場合には、以下のような処理を行う。まず、グループ通話制御部１１は、発信側の携帯電話機２０から送信されたグループ通話を確立させるためのグループ通話開始要求信号（ＩＮＶＩＴＥ）を受信する。このグループ通話開始要求信号には、グループ通話に参加するように要請された着信側の携帯電話機２０を一意に特定するための端末ＩＤ、例えばＳＩＰ−ＵＲＩ（Session Initiation Protocol - UniformResource Identifier）が含まれている。グループ通話制御部１１は、グループ通話開始要求信号に含まれるＳＩＰ−ＵＲＩに対応する着信側の携帯電話機２０に対してグループ通話参加要請信号を送信する。グループ通話制御部１１は、着信側の携帯電話機２０からグループ通話に参加することを示す参加応答信号を受信した場合に、例えば、ＳＩＰ等のプロトコルにより携帯電話機２０間にセッションを張りグループ通話を確立させる。また、グループ通話制御部１１は、通話データである音声データ（パケット）のコピーおよび転送を行う。また、グループ通話制御部１１は、複数のグループ通話を確立させることができ、グループ通話に参加している携帯電話機２０の状態や発言権の管理等を行う。
【００２２】
グループＩＤ発行部１２は、グループ通話制御部１１によってグループ通話開始要求信号が受信された場合に、このグループ通話開始要求信号に基づいて確立されるグループ通話を一意に特定するためのグループＩＤを発行する。
【００２３】
グループ情報管理部１３は、グループ通話に参加可能な携帯電話機２０に関する情報をグループ情報テーブル１９に登録して管理する。すなわち、グループ情報管理部１３は、グループＩＤ発行部１２によって発行されたグループＩＤのグループに属する携帯電話機２０に関する情報を、グループ情報として管理する。
【００２４】
ここで、図３を参照して、グループ情報テーブル１９のデータ構成について説明する。グループ情報テーブル１９は、データ項目として、例えば、グループＩＤ、端末ＩＤ、端末ステータス、ＩＰアドレス、ポート番号を有する。グループＩＤには、グループ通話を一意に特定するためのＩＤが格納される。端末ＩＤには、携帯電話機２０を一意に特定するための識別情報として、例えばＳＩＰ−ＵＲＩが格納される。端末ステータスには、グループ通話に参加可能な携帯電話機２０のステータスが格納される。携帯電話機２０のステータスとしては、例えば、グループ通話に参加する旨の応答をしたことを示す「参加」、グループ通話に参加しない旨の応答をしたことを示す「不参加」、応答が何もないことを示す「不応答」等がある。ＩＰアドレスには、携帯電話機２０のＩＰアドレスが格納され、ポート番号には、携帯電話機２０のポート番号が格納される。
【００２５】
グループＩＤ送信制御部１４は、グループＩＤ発行部１２によって発行されたグループＩＤを、このグループＩＤに対応するグループに属する携帯電話機２０に対して送信するようにグループ通話制御部１１を制御する。具体的に説明すると、例えば、グループＩＤの送信先が着信側の携帯電話機２０である場合に、グループＩＤ送信制御部１４は、グループＩＤをグループ通話参加要請信号に含めて送信するようにグループ通話制御部１１に対して指示する。また、例えば、グループＩＤの送信先が発信側の携帯電話機２０である場合に、グループＩＤ送信制御部１４は、グループＩＤが発行された後に、グループＩＤを送信するようにグループ通話制御部１１に対して指示する。
【００２６】
途中参加制御部１５は、着信側の携帯電話機２０のうち、グループ通話参加要請信号に対する応答信号が未送信である携帯電話機２０からグループ通話への途中参加要求信号を受信した場合に、この携帯電話機２０を、途中参加要求信号に含まれるグループＩＤに対応するグループ通話に途中参加させる。具体的に説明すると、途中参加制御部１５は、途中参加要求信号に含まれるグループＩＤを、グループ通話制御部１１に送信する。これにより、グループ通話制御部１１は、受信したグループＩＤに基づいて、途中参加要求信号を送信した携帯電話機２０を、グループＩＤに対応するグループに途中参加させる制御を行う。
【００２７】
次に、図２を参照して携帯電話機２０の機能構成について説明する。図２に示すように、携帯電話機２０は、グループ通話制御部２１と、着信履歴更新部２２（記憶手段）と、途中参加制御部２３（送信手段）とを有する。
【００２８】
グループ通話制御部２１は、グループ通話制御サーバ１０から提供されるグループ通話機能を制御する。具体的に説明すると、グループ通話制御部２１は、グループ通話開始要求信号をグループ通話制御サーバ１０に送信する。このグループ通話開始要求信号には、グループ通話に参加するように要請された着信側の携帯電話機２０を一意に特定する端末ＩＤ、例えばＳＩＰ−ＵＲＩが含まれる。また、グループ通話制御部２１は、グループ通話制御サーバ１０から送信されたグループ通話参加要請信号を受信する。このグループ通話参加要請信号には、グループＩＤおよびグループメンバを特定する情報が含まれる。グループ通話制御部２１は、グループ通話参加要請信号を受信した場合に、ユーザの操作指示にしたがって、グループ通話に参加するか否かを示す参加有無情報を含めた応答信号をグループ通話制御サーバ１０に送信する。また、グループ通話制御部２１は、移動体通信網を介したグループ通話制御サーバ１０へのアクセスや通話データの送受信、携帯電話機２０に備えられた入出力装置の制御等、グループ通話における主要な機能を制御する。
【００２９】
着信履歴更新部２２は、他の携帯電話機２０からの着信履歴情報を着信履歴テーブル２９に登録して管理する。具体的に説明すると、例えば、通常の音声通話による呼出信号を受信した場合に、着信履歴更新部２２は、発信者名、発信電話番号、着信日時を含む着信履歴情報を着信履歴テーブル２９に登録する。また、例えば、グループ通話による呼出信号（グループ通話参加要請信号）を受信した場合に、着信履歴更新部２２は、発信者名、発信電話番号、着信日時、グループＩＤ、グループメンバを含む着信履歴情報を着信履歴テーブル２９に登録する。
【００３０】
ここで、図４を参照して、着信履歴情報を格納する着信履歴テーブル２９のデータ構成について説明する。着信履歴テーブル２９は、データ項目として、例えば、発信者、電話番号、着信日時、グループＩＤ、グループメンバ、応答状況を有する。発信者には、発信側の携帯電話機２０のユーザのアドレス帳登録名称が格納される。電話番号には、発信側の携帯電話機２０の電話番号が格納される。着信日時には、発信側の携帯電話機２０から着信したときの日時が格納される。グループＩＤには、発信側の携帯電話機２０によって確立されたグループ通話のグループＩＤが格納される。グループメンバには、グループ通話に参加可能な携帯電話機２０のユーザのアドレス帳登録名称が格納される。応答状況には、着信時に応答したか否かを示す情報が格納される。
【００３１】
途中参加制御部２３は、ユーザの操作指示によって表示画面上に表示された着信履歴情報から、グループ通話参加要請信号を受信した際に不応答であったときに登録された着信履歴情報が選択され、かつ、グループ通話の開始要求ボタンが押下された場合に、グループ通話に途中参加を要求するための途中参加要求信号を送信する。この途中参加要求信号には、選択された着信履歴情報に含まれるグループＩＤが付加される。
【００３２】
次に、図５を参照して、本実施形態におけるグループ通話システム１において実行されるグループ通話処理について説明する。なお、説明の便宜上、グループ通話を確立させる携帯電話機２０を発信端末２０ａと呼び、発信端末２０ａからの参加要請を受けてグループ通話に参加する携帯電話機２０を参加端末２０ｂと呼び、発信端末２０ａからの参加要請に応えずにグループ通話に途中から参加する携帯電話機２０を途中参加端末２０ｃと呼ぶ。
【００３３】
まず、発信端末２０ａのユーザの操作指示にしたがって、グループ通話の開始要求ボタンが押下されると（ステップＳ１）、発信端末２０ａのグループ通話制御部２１は、グループ通話開始要求信号をグループ通話制御サーバ１０に送信する（ステップＳ２）。これにより、グループ通話制御サーバ１０のグループ通話制御部１１は、発信端末２０ａから送信されたグループ通話開始要求信号を受信する。
【００３４】
次に、グループ通話制御サーバ１０のグループＩＤ発行部１２は、グループ通話制御部１１によって受信されたグループ通話開始要求信号に基づいて確立されるグループ通話のグループＩＤを発行する（ステップＳ３）。
【００３５】
次に、グループ通話制御サーバ１０のグループ情報管理部１３は、グループＩＤ発行部１２によって発行されたグループＩＤ、およびグループ通話制御部１１によって受信されたグループ通話開始要求信号に含まれるＳＩＰ−ＵＲＩ等に基づいて、グループ情報をグループ情報テーブル１９に登録する（ステップＳ４）。
【００３６】
次に、グループ通話制御サーバ１０のグループ通話制御部１１は、グループＩＤ送信制御部１４からの指示にしたがって、参加端末２０ｂおよび途中参加端末２０ｃに対して、グループＩＤを含むグループ通話参加要請信号を送信する（ステップＳ５）。また、グループ通話制御部１１は、グループＩＤ送信制御部１４からの指示にしたがって、発信端末２０ａにグループＩＤを送信する。
【００３７】
次に、参加端末２０ｂおよび途中参加端末２０ｃの着信履歴更新部２２は、グループ通話参加要請信号を受信すると、発信端末２０ａからの着信履歴情報を着信履歴テーブル２９に登録する（ステップＳ６）。
【００３８】
次に、参加端末２０ｂのユーザによって、参加端末２０ｂがグループ通話に参加するための参加応答操作がなされると（ステップＳ７）、参加端末２０ｂのグループ通話制御部２１は、グループ通話に参加することを示す参加応答信号をグループ通話制御サーバ１０に送信する（ステップＳ８）。これにより、グループ通話制御サーバ１０のグループ通話制御部１１は、参加端末２０ｂから送信された参加応答信号を受信する。
【００３９】
次に、グループ通話制御サーバ１０のグループ情報管理部１３は、グループ情報テーブル１９に格納される参加端末２０ｂの端末ステータスを「参加」に変更するとともに、参加端末２０ｂのＩＰアドレスおよびポート番号をグループ情報テーブル１９のＩＰアドレスおよびポート番号に格納してグループ情報を更新する（ステップＳ９）。
【００４０】
また、グループ通話制御サーバ１０のグループ通話制御部１１は、発信端末２０ａと参加端末２０ｂとの間にセッションを張りグループ通話を確立させる（ステップＳ１０）。これにより、発信端末２０ａと参加端末２０ｂとの間でグループ通話を行うことが可能となる。
【００４１】
次に、途中参加端末２０ｃのユーザの操作指示にしたがって、着信履歴画面に表示された着信履歴情報のうち、グループ通話参加要請信号を受信した際に不応答であったときに登録された着信履歴情報が選択され、さらにグループ通話の開始要求ボタンが押下されると（ステップＳ１１）、途中参加端末２０ｃの途中参加制御部２３は、グループＩＤを含む途中参加要求信号をグループ通話制御サーバ１０に送信する（ステップＳ１２）。これにより、グループ通話制御サーバ１０のグループ通話制御部１１は、途中参加端末２０ｃから送信された途中参加要求信号を受信する。
【００４２】
次に、グループ通話制御サーバ１０のグループ情報管理部１３は、グループ情報テーブル１９に格納される途中参加端末２０ｃの端末ステータスを「参加」に変更するとともに、途中参加端末２０ｃのＩＰアドレスおよびポート番号をグループ情報テーブル１９のＩＰアドレスおよびポート番号に格納してグループ情報を更新する（ステップＳ１３）。
【００４３】
次に、グループ通話制御サーバ１０の途中参加制御部１５は、途中参加要求信号に含まれるグループＩＤを、グループ通話制御部１１に送信する。グループ通話制御部１１は、受信したグループＩＤに対応するグループに途中参加端末２０ｃを途中参加させる（ステップＳ１４）。これにより、発信端末２０ａと参加端末２０ｂと途中参加端末２０ｃとの間でグループ通話を行うことが可能となる。
【００４４】
以上のように、本実施形態におけるグループ通話システム１によれば、グループ通話制御サーバ１０がグループＩＤ発行部１２を備えることで、グループ通話の開始要求信号を受信したときに、グループＩＤを発行することができ、グループ通話制御サーバ１０がグループＩＤ送信制御部１４を備えることで、発行されたグループＩＤをグループに属する全ての携帯電話機２０に対して送信させることができる。
【００４５】
また、携帯電話機２０が着信履歴更新部２２を備えることで、グループに属する全ての携帯電話機２０の着信履歴にグループＩＤを格納させることができ、携帯電話機２０が途中参加制御部２３を備えることで、グループ通話参加要請信号を受信した際に不応答であったときに登録された着信履歴情報が選択され、かつ、グループ通話の開始要求ボタンが押下された場合に、グループＩＤを含む途中参加要求信号をグループ通話制御サーバ１０に対して送信することができる。
【００４６】
また、グループ通話制御サーバ１０が途中参加制御部１５を備えることで、グループ通話参加要請信号に対する応答信号が未送信である携帯電話機２０から途中参加要求信号を受信した場合に、この携帯電話機２０を、途中参加要求信号に含まれるグループＩＤに対応するグループ通話に途中参加させることができる。
【００４７】
また、グループ通話制御サーバ１０がグループ情報管理部１３を備えることで、携帯電話機２０のグループ通話への参加の有無および参加要請信号に対する応答の有無を、グループごとに管理することができる。
【図面の簡単な説明】
【００４８】
【図１】実施形態におけるグループ通話システムのシステム構成およびグループ通話制御サーバの機能構成を例示する図である。
【図２】実施形態における携帯電話機の機能構成を例示する図である。
【図３】グループ情報テーブルのデータ構成を例示する図である。
【図４】着信履歴テーブルのデータ構成を例示する図である。
【図５】実施形態におけるグループ通話システムで実行されるグループ通話処理を説明するためのシーケンス図である。
【符号の説明】
【００４９】
１・・・グループ通話システム、１０・・・グループ通話制御サーバ、１１・・・グループ通話制御部、１２・・・グループＩＤ発行部、１３・・・グループ情報管理部、１４・・・グループＩＤ送信制御部、１５・・・途中参加制御部、１９・・・グループ情報テーブル、２０・・・携帯電話機、２１・・・グループ通話制御部、２２・・・着信履歴更新部、２３・・・途中参加制御部、２９・・・着信履歴テーブル。
【図１】
2008067083.tif 000003
【図２】
2008067083.tif 000004
【図３】
2008067083.tif 000005
【図４】
2008067083.tif 000006
【図５】
2008067083.tif 000007